(57)【要約】【課題】  熱による書込みとマーカーによる書込みを行うことを可能とした電子黒板及び電子黒板用書込みシートに関するものであり、従来は、マーカーによるインクカスや黒板消しによるカスが熱ヘッドに付着して、熱による書き込みや消去が阻害されるという問題がある。【解決手段】本発明は、書き込みシートの書き込み面側に書き込み情報を検出するセンサーを設け、書き込みシートの裏側に熱ヘッドを設け、マーカーによる書き込み面からの影響を受けずに、熱による書き込みと消去を行うものである。【選択図】  図１
2005059562.tif 000002
【特許請求の範囲】
【請求項１】
透明な基体シートと、このシートの一方の面に設けられた熱による書き込みと消去を行う第１の書き込み層と、前記シートの他方の面に形成されたインクによる書き込みを行う第２の書き込み層と、前記一方の面側に設けられ、前記第１の書き込み層に書き込み又は消去を行う熱ヘッド部と、前記他方の面側に設けられ、前記第１及び第２の書き込み層の書き込み情報を読み取るセンサーと、前記基板シートの書き込み位置を変更するための表示面移動装置とを有することを特徴とする電子黒板。
【請求項２】
透明な基体シートと、このシートの一方の面に設けられた熱による書き込みと消去を行う第１の書き込み層と、前記シートの他方の面に形成されたインクによる書き込みを行う第２の書き込み層とを有し、熱による書き込みを前記第１の書き込み層側から行うことが可能なことを特徴とする電子黒板用シート。
【請求項３】
前記第１の書き込み層上に更に不透明なコート層を有することを特徴とする請求項２項記載の電子黒板用シート。
【発明の詳細な説明】
【技術分野】
【技術分野】
【０００１】本発明は、電子黒板に関し、特に熱による書き込みと消去機能を有する電子黒板に関する。
【背景技術】
【０００２】電子黒板は、白色のシートにマーカーで記入する装置である。
この記入した表面をセンサーにて画像情報として読み取り、読み取った画像情報を縮小して紙に印刷する機能を有することを特徴としている。また電子黒板とは異なるもので、電子掲示板という装置がある。
この電子掲示板は、白色の感熱シートを用い、この白色の感熱シートに熱で書き込みができると共に、再度熱を加えることで、この感熱シート上の書き込みを消去できる装置である。【０００３】特開平９−１６４７９６７号には、電子黒板に電子掲示板の機能を付加した装置が示されている。
この電子黒板は、基材に感熱シートと透明シートを積層したものを、書き込み可能な表示面とし、この表示面を読み取るイメージスキャナと、熱による書き込みを行う感熱ヘッドと、消去器を一体で構成して、表示面上を、この一体構成物にて走査することにより、走査画面の取り込み、熱による書き込み、及び消去を行うものである。【０００４】
【特許文献１】特開平９−１６４７９６７号
【発明の開示】
【発明が解決しようとする課題】
【０００５】上記特許文献１では、イメージスキャナと感熱ヘッドが一体で構成され、表示面側を走査する構成になっているため、マーカーのインクカスや黒板消しによるカスなどが、この熱ヘッドに付着して、熱ヘッドが正常に動作しないことがある。
この問題を解決するために、熱ヘッドのクリーニング装置を付加することも考えられるが、装置が複雑化すると共に、電子黒板のコスト増を招くことになる。
【課題を解決するための手段】
【０００６】上記課題を解決するため、本発明は、請求項１に記載するように、透明な基板シートと、このシートの一方の面に設けられた熱による書き込みと消去を行う第１の書き込み層と、前記シートの他方の面に形成されたインクによる書き込みを行う第２の書き込み層と、前記一方の面側に設けられ、前記第１の書き込み層に書き込み又は消去を行うサーマルヘッド部と、前記他方の面側に設けられ、前記第１及び第２の書き込み層の書き込み情報を読み取るセンサと、前記基板シートの書き込み位置を変更するためのアクチュエータとを有することを特徴とする電子黒板である。【０００７】また、請求項２、３に記載するように、透明な基材の一方の面に感熱層を有し、他方の面にマーカーによる書き込み層を有すると共に、感熱層を覆う不透明な層を有し、熱による書き込みと消去は、この不透明層側から逆向きに行うことができ、マーカーによる書き込みと熱による書き込みとが、他方の面に重ねて表示されることを特徴とする電子黒板用表示シートである。
【発明の効果】
【０００８】本発明の電子黒板によれば、感熱層への書き込み、消去部からなる熱ヘッドを表示面の裏側に設けたために、マーカーにより筆記した表示面の汚れ、インクかすなどによって、熱ヘッドがダメージを受けることがなくなる。
【発明を実施するための最良の形態】
【０００９】以下、本発明を実施するための最良の形態について、図面を参照して詳細に説明する。
【実施例】
【００１０】図１に本発明の１実施例の電子黒板の本体の構成を示す概念図を示す。１は表示、及び書き込みを行う書き込みシートであり、２はこの書き込みシートの記載内容を読み込むセンサーであるイメージスキャナ、３は書き込みシートに裏面から書き込みや消去を行う熱ヘッド、４はイメージスキャナ２による読み込み時や、熱ヘッド３による書き込みと消去、更には書き込む位置を変更する際に、シートを移送する表示面移動装置、５はマーカーで書き込みシートに書き込むとき、シートがたわまないように支持する支持板、６は書き込みシートの記載内容を印刷するプリンタ、７はマイコンを含み、イメージスキャナ２、熱ヘッド３、移動装置４、及びプリンタを制御する制御装置である。
尚、制御装置６には図示しないが、イメージスキャナ２で読み込まれた画像情報を記憶し、プリンタ７に転送するメモリが内臓されている。
また、熱ヘッド３は、図示しないパーソナルコンピュータに接続され、このパーソナルコンピュータによって出力された情報を書き込みシートに書き込むと共に、制御装置６内にあらかじめ記録された、例えは枠線や定型文書などを書き込みシートに書き込む。
尚、書き込みシート１の書き込みを行う部分である表示部８以外は、図示しない電子黒板本体のケースにて覆われる。【００１１】図２は、書き込みシートの構造を示す概念図である。
１１はポリエチレンテレフタレート（ＰＥＴ）からなる透明基体、１２は第２の書き込み層であり、透明基体１１の一方の面に設けられた透明なマーカー書き込み層、１３は第１の書き込み層であり、熱により書き込み、消去が行われるロイコ染料を含む感熱層、１４は不透明なコート層である。
尚不透明なコート層１４は、表示面を見やすくしかつ、感熱層を保護するために設けられており、白色の層であるが、白色に限定されるものではない。
また、図１における支持板５を均一な例えば白色の表面とした場合は、この不透明なコート層１４は無くても良い。【００１２】続いて図１を用いて、動作について説明する。
書き込みシートの書き込み面には、例えば会議の議題や会議内容をマーカーにて書き込むが、本体の表示部に位置している書き込み可能な面全体に書き込まれた場合などは、図示しない操作手段にて次のページを指定すると、制御装置６により表示面移動装置４が駆動され、書き込まれた面は、本体の裏側に移動され、書き込みシートの未書き込みの部分が表示面に現われる。【００１３】表や図をパーソナルコンピュータで作成してある場合は、パーソナルコンピュータから指示し、その表や図のデータを制御装置６に出力すると、制御装置６により表示面移動装置４が駆動されると共に、熱ヘッド３にて、書き込みシートの裏面より、感熱層に表や図が書き込まれ、その書き込まれた部分が、本体の表示部に移送される。
この熱ヘッド３は、書き込みシート１の裏側であり、図２で示される不透明層１４側から書き込みを行うため、インクカスや黒板消しによるカスなどの塵埃が付着することがなく、また誤動作することもない。
熱ヘッド３による書き込みは、図２で示される感熱層１３に表示されるため、透明基体１１及び、透明なマーカー書き込み層で保護される。
従って、この熱ヘッド３による書き込みとは独立に、マーカー書き込み層上に文字や図を書き込むことができる。
書き込みシートの表面のマーカー書き込み層上に文字や図を書き込むと、マーカーによる書き込みと、先の熱による表や図の書き込みが重ねて表示される。【００１４】この熱による書き込みは、再度熱ヘッド３による過熱で消去される。
また、定型の枠線や、定型書面のデータが、制御装置６内の記憶媒体に予め記憶されており、その保存データの中から、図示しない指示装置により、選択して書き込むこともできる。
尚、当然であるが、マーカーによる書き込みは、専用の布製の黒板消しなどにより消去できる。【００１５】会議が終了し、それまで書き込みをした内容を議事録として印刷したい場合は、図示しない操作手段にて印刷を指示すると、制御装置６により表面移動装置４が駆動され、書き込み面は本体の裏面に移動され、その移動によって、書き込まれた面がイメージスキャナ２により走査され、熱による印字を含む書き込み情報が制御装置内に設けられた、図示しないメモリに読み込まれる。
この読み込まれた画像情報は、プリンタ７に送信され、印刷される。【００１６】本発明は、上述の１実施例に限定されるものではなく、例えば、メモリに読み込まれた情報を、パーソナルコンピュータへ出力してもよい。
また、このメモリを外部記憶媒体とし、情報のモバイル化を行っても良い。
更に、熱ヘッドによる書き込み情報は、パーソナルコンピュータから受信するのではなく、この外部記憶媒体によって行っても良い。
【産業上の利用可能性】
【００１７】本発明は、会議やプレゼンテーションなどに用いられる電子黒板として利用することができる。
【図面の簡単な説明】
【００１８】
【図１】本発明の実施例の形態に係る主要な構成を示す概念図である。
【図２】書き込みシートの構造を示す断面図である。
【符号の説明】
【００１９】１：書き込みシート
２：センサーであるイメージスキャナ
３：熱ヘッド
１１：透明基体
１２：第２の書き込み層であるマーカー書き込み層
１３：第１の書き込み層である感熱層
１４：不透明層
【図１】
2005059562.tif 000003
【図２】
2005059562.tif 000004